(57)【特許請求の範囲】
【請求項１】
偏平な箱形に形成されていて、後端にカードの挿入口が形成されている筺体と、上記筺体の片側に収容され、筺体の挿入口から挿入されてきたカードが後方側からのみ係合する待機位置と筺体内でのカードセット位置に対応する前進位置との間で前後にスライド可能なスライダと、上記スライダを後退方向に常時弾発付勢するコイルばねと、上記スライダと上記筺体とに振り分けて具備され、カードが上記セット位置まで挿入されたときに互いに係合してスライダの後退を阻止する係合体及び被係合体と、上記スライダが待機位置に位置しているときには、そのスライダに係合しているカードをハーフロックすることによってそのカードをスライダに対して引抜き可能に仮固定し、かつ、上記スライダがその前進位置に位置しているときには上記セット位置に挿入されたカードをフルロックしてそのスライダからのカードの後退を阻止するカードロック機構と、上記係合体及と被係合体との係合を解除する係合解除機構と、を備えたカードコネクタにおいて、
上記カードロック機構は、スライダに左右方向に貫通して備わる孔部に左右方向出退自在に嵌合され、孔部に具備された段付部と突出方向で係止する段付部が具備されると共に、カードの片側辺部に形成されている凹入部に嵌入する山形先端面を備えた可動体と、上記筺体の片側の側板部に内向きに切起こし形成され、スライダが待機位置に位置しているときに上記可動体を筺体の内方側へ弾発付勢し、孔部の段付部に可動体の段付部が係合して孔部から筺体の内方側へ可動体の山形先端面が突出する位置にその可動体を位置決めするばね片と、スライダが前進位置に位置しているときに上記可動体の後端が対向する筺体の側板部の板面によって形成されている支持部とで構成され、スライダが待機位置に位置しているときに、筐体の挿入口から挿入されたカードが、可動体をばね片の弾発付勢力に抗してスライダの孔部に押し込みながらその可動体を乗り越えてスライダに係合したとき、カードの凹入部の中に、ばね片の弾発付勢力によって可動体の山形先端面が嵌入することによって、カードを後方へ引っ張ると、カードが可動体をばね片の弾発付勢力に抗してスライダの孔部に押し込みながら後退してカードの凹入部が可動体の山形先端面から抜け出て、カードを引き抜くことが可能な仮固定状態に、カードをスライダに対してハーフロックすると共に、スライダがカードの挿入によりコイルばねの弾発付勢力に抗して待機位置から前進位置に押し込まれたときには、可動体の後端が上記支持部に対向して、その支持部が可動体の後退を阻止することによって、カードを後方へ引っ張ったとしても、カードの凹入部が可動体の山形先端部を乗り越えることができず、カードセット位置に挿入されたカードのスライダからの後退を阻止する状態に、カードをスライダに対してフルロックし、
上記スライダの後端部に連結されてスライダの後方に延び出ていて、後端部に所定長さの幅狭部が具備され、その幅狭部の端部近傍箇所に幅広の突起が備わっており、その突起の後端面がカード挿入方向に対して直角をなし、突起の前端面が前窄まりに傾斜したガイド面に形成されている杆体と、上記筐体の下板部と上板部にそれぞれ内向きに切起こし形成されて、筐体の左右方向片側において上下方向で対向していて、筐体の左右方向片側において上下方向で対向する開口が具備され、スライダが待機位置に位置しているときに、上記杆体の幅狭部を摺動自在に挾み付ける上下の弾性片とを備え、上記被係合体が上記杆体の突起でなり、その突起の上記後端面を被係止部として備える一方、上記係合体が上記上下の弾性片でなり、その弾性片の開口の後側の口縁を係止部として備えており、スライダがカードの挿入によりコイルばねの弾発付勢力に抗して待機位置から前進位置に押し込まれる過程で、上下の弾性片を撓ませながら上記杆体の突起がそれらの弾性片の先端部を上記ガイド面を介して乗り越えて、弾性片の開口に嵌まり込み、上記コイルばねの弾発付勢力によって上記突起の後端面が上記開口の後側の口縁に係合することによって、前進位置に押し込まれた上記スライダの後退を、上記カードロック機構によりカードがそのスライダに対してフルロックされているその前進位置で上記コイルばねの弾発付勢力に抗して阻止し、
上記係合解除機構は、上記筺体の片側の側板部に配設され、前方に向けて押込み操作される操作部材と、この操作部材を後方に向けて常時弾発付勢する引張りコイルばねと、上記筺体の内側に配備される上記操作部材の端部に備わり、操作部材が押込み操作されない常態時に上記上下の弾性片の後方でそれらの間に離間して対向する先尖り形状に形成された作用部とを備え、上記セット位置に挿入されているカードを排出するときに、上記操作部材を引張りコイルばねの弾発付勢力に抗して前方へ押込むことにより、上記作用部が、上下の弾性片の間に分け入り、それらの弾性片を撓み変形させて押し拡げて、上記突起を弾性片の開口から抜け出させ、上記突起の後端面と上記開口の後側の口縁とを離脱させて両者の係合を解除することを特徴とするカードコネクタ。
【発明の詳細な説明】
【０００１】
【発明の属する技術分野】
本発明は、カードコネクタ、特に筐体内のカードセット位置に挿入されているカードの無理抜きが不可能であり、しかも、そのカードを操作部材のプッシュ操作によって定位置まで排出することのできるカードコネクタに関する。
【０００２】
【従来の技術】
特開平１１−１３５１９２号公報には、カードセット位置に挿入されているカードを操作部材のプッシュ操作によって定位置まで排出することのできるカードコネクタについての記載がある。また、この公報には、カードのカードセット位置でハーフロックすることについての記載もある。すなわち、この公報に記載されているカードコネクタでは、筐体の挿入口から挿入されてきたカードが、その筐体に収容されているスライダに前側からのみ係合した後、そのスライダをばね弾性に抗して前進させることによりカードがカードセット位置に挿入されるようになっていると共に、スライダがカードに前側からのみ係合しているときには常にカードがスライダにハーフロックされるようになっている。すなわちカードがスライダに引抜き可能に仮固定されるようになっている。
また、カードセット位置に挿入されたカードによって押し込まれたスライダのその位置からの後退を阻止する手段には、ハート形のカム溝とそのカム溝に嵌め込まれたピンとを組み合わせることによって構成されるプッシュ−プッシュ操作によって動作するカム機構が採用されていた。
【０００３】
【発明が解決しようとする課題】
しかしながら、上記公報に記載されている従来のカードコネクタによると、カードがカードセット位置に挿入されているときでも、そのカードがスライダに対してハーフロックされているに過ぎなかったので、カードセット位置に挿入されているカードを抜出し方向に無理に引っ張ることによってそのカードが不慮に抜き出されてしまうというおそれがあった。
また、カードコネクタが落下などに伴う衝撃を受けると、その衝撃の度合によっては、上記カム機構のピンがカム溝の所定の係合箇所から外れてしまってカードが不慮に排出されてしまうというおそれがあった。
【０００４】
本発明は、以上の状況に鑑みてなされたものであり、カードがカードセット位置に挿入されているときにはカードの無理抜きが不可能になり、しかも、落下などの衝撃を受けても、カードセット位置に挿入されているカードが不慮に排出されるような事態の起こらないカードコネクタを提供することを目的とする。
また、本発明は、部品点数をでるだけ増やさずに、カードの無理抜きが不可能になり、落下などの衝撃によってカードが不慮に排出されるような事態の起こらないように構成することのできるカードコネクタを提供することを目的とする。
【０００５】
【課題を解決するための手段】
図面を参照して本発明のカードコネクタを説明する。なお、この欄で図中の符号を使用したのは、発明の内容の理解を助けるためであって、内容を図例に限定する意図ではない。
【０００６】
本発明に係るカードコネクタは、偏平な箱形に形成されていて、後端にカード１００の挿入口１５が形成されている筺体１と、上記筺体１の片側に収容され、筺体１の挿入口１５から挿入されてきたカード１００が後方側からのみ係合する待機位置と筺体１内でのカードセット位置に対応する前進位置との間で前後にスライド可能なスライダ５と、上記スライダ５を後退方向に常時弾発付勢するコイルばね４２と、上記スライダ５と上記筺体１とに振り分けて具備され、カード１００が上記セット位置まで挿入されたときに互いに係合してスライダ１００の後退を阻止する係合体及び被係合体と、上記スライダ５が待機位置に位置しているときには、そのスライダ５に係合しているカード１００をハーフロックすることによってそのカード１００をスライダ５に対して引抜き可能に仮固定し、かつ、上記スライダ５がその前進位置に位置しているときには上記セット位置に挿入されたカード１００をフルロックしてそのスライダ５からのカード１００の後退を阻止するカードロック機構と、上記係合体及と被係合体との係合を解除する係合解除機構と、を備えたカードコネクタにおいて、
上記カードロック機構は、スライダ５に左右方向に貫通して備わる孔部５７に左右方向出退自在に嵌合され、孔部５７に具備された段付部５８と突出方向で係止する段付部６２が具備されると共に、カード１００の片側辺部に形成されている凹入部１２０に嵌入する山形先端面６１を備えた可動体６と、上記筺体１の片側の側板部に内向きに切起こし形成され、スライダ５が待機位置に位置しているときに上記可動体６を筺体１の内方側へ弾発付勢し、孔部５７の段付部５８に可動体６の段付部６２が係合して孔部５７から筺体１の内方側へ可動体６の山形先端面６１が突出する位置にその可動体６を位置決めするばね片２６と、スライダ５が前進位置に位置しているときに上記可動体６の後端６４が対向する筺体１の側板部の板面によって形成されている支持部２３ａとを備え、スライダ５が待機位置に位置しているときに、筐体１の挿入口１５から挿入されたカード１００が、可動体６をばね片２６の弾発付勢力に抗してスライダ５の孔部５７に押し込みながらその可動体６を乗り越えてスライダ５に係合したとき、カード１００の凹入部１２０の中に、ばね片２６の弾発付勢力によって可動体６の山形先端面６１が嵌入することによって、カード１００を後方へ引っ張ると、カード１００が可動体６をばね片２６の弾発付勢力に抗してスライダ５の孔部５７に押し込みながら後退してカード１００の凹入部１２０が可動体６の山形先端面６１から抜け出て、カード１００を引き抜くことが可能な仮固定状態に、カード１００をスライダ５に対してハーフロックすると共に、スライダ５がカード１００の挿入によりコイルばね４２の弾発付勢力に抗して待機位置から前進位置に押し込まれたときには、可動体６の後端６４が上記支持部２３ａに対向して、その支持部２３ａが可動体６の後退を阻止することによって、カード１００を後方へ引っ張ったとしても、カード１００の凹入部１２０が可動体６の山形先端部６１を乗り越えることができず、カードセット位置に挿入されたカード１００のスライダ５からの後退を阻止する状態に、カード１００をスライダ５に対してフルロックし、
上記スライダ５の後端部に連結されてスライダ５の後方に延び出ていて、後端部に所定長さの幅狭部５３が具備され、その幅狭部５３の端部近傍箇所に幅広の突起５４が備わっており、その突起５４の後端面５５がカード挿入方向に対して直角をなし、突起５４の前端面が前窄まりに傾斜したガイド面５６に形成されている杆体５２と、上記筐体１の下板部と上板部にそれぞれ内向きに切起こし形成されて、筐体１の左右方向片側において上下方向で対向していて、筐体１の左右方向片側において上下方向で対向する開口２５，３５が具備され、スライダ５が待機位置に位置しているときに、上記杆体５２の幅狭部５３を摺動自在に挾み付ける上下の弾性片２４，３４とを備え、上記被係合体が上記杆体５２の突起５４でなり、その突起５４の上記後端面５５を被係止部として備える一方、上記係合体が上記上下の弾性片２４，３４でなり、その弾性片２４，３４の開口２５，３５の後側の口縁２５ａ，３５ａを係止部として備えており、スライダ５がカード１００の挿入によりコイルばね４２の弾発付勢力に抗して待機位置から前進位置に押し込まれる過程で、上下の弾性片２４，３４を撓ませながら上記杆体５２の突起５４がそれらの弾性片２４，３４の先端部を上記ガイド面５６を介して乗り越えて、弾性片２４，３４の開口２５，３５に嵌まり込み、上記コイルばね４２の弾発付勢力によって上記突起５４の後端面５５が上記開口２５，３５の後側の口縁２５ａ，３５ａに係合することによって、前進位置に押し込まれた上記スライダ５の後退を、上記カードロック機構によりカード１００がそのスライダ５に対してフルロックされているその前進位置で上記コイルばね１００の弾発付勢力に抗して阻止し、
上記係合解除機構は、上記筺体１の片側の側板部に配設され、前方に向けて押込み操作される操作部材７と、この操作部材７を後方に向けて常時弾発付勢する引張りコイルばね７２と、上記筺体１の内側に配備される上記操作部材７の端部に備わり、操作部材７が押込み操作されない常態時に上記上下の弾性片２４，３４の後方でそれらの間に離間して対向する先尖り形状に形成された作用部７４とを備え、上記セット位置に挿入されているカード１００を排出するときに、上記操作部材７を初期位置から引張りコイルばね７２の弾発付勢力に抗して前方へ押込むことにより、上記作用部７４が、上下の弾性片２４，３４の間に分け入り、それらの弾性片２４，３４を撓み変形させて押し拡げて、上記突起５４を弾性片２４，３４の開口２５，３５から抜け出させ、上記突起５４の後端面５５と上記開口２５，３５の後側の口縁２５ａ，３５ａとを離脱させて両者の係合を解除することを特徴としている。
【０００７】
このため、筐体１の挿入口１５からカード１００を挿入すると、待機位置に位置しているスライダ５に係合したカード１００がそのスライダ５を弾発力に抗して前進位置まで押し込むと共に、カード１００自体もセット位置まで挿入される。こうしてカード１００がセット位置に挿入されると、係合体と被係合体とが互いに係合することによってスライダの後退を阻止する。したがって、カード１００によって前進位置まで押し込まれたスライダ５がその前進位置から後退するという事態は起こらない。
【０００８】
また、セット位置に挿入されたカード１００は、カードロック機構によって、スライダ５にフルロックされて無理抜きすることができなくなる。これに対し、スライダ５が待機位置に位置しているときには、カード１００がスライダ５にハーフロックされているだけであるのでカード１００を引き抜いて排出することが可能である。
【０００９】
また、カード１００がセット位置に挿入されているときに操作部材７を押込み操作（プッシュ操作）すると、操作部材７の作用部７４が係合体と被係合体との係合を解除し、スライダ５が弾発力によりカード１００を伴って待機位置まで後退する。こうしてスライダ５が待機位置まで後退すると、カード１００がカードロック機構によってハーフロックされた状態になるので、カード１００をスライダ５から引き抜いて排出することが可能になる。
【００１０】
また、上記係合解除機構は、上記操作部材７が押込み操作されない常態時には上記係合体と上記被係合体との係合箇所からその作用部７４を離間させている。このため、落下などによる衝撃を受けても、操作部材７が不慮に押し込まれてその作用部７４が係合体と被係合体との係合を解除させてしまうというような事態が起こりにくい。したがって、セット位置に挿入されているカード１００が落下などの衝撃によって不慮に排出されるというような事態が起こりにくい。
【００１１】
また、上記係合体が、上記筐体１に具備されかつ上記被係合体を係止可能な係止部２５ａ，３５ａを備える弾性片２４，３４でなり、上記被係合体が、上記スライダ５に具備されてそのスライダ５が前方へ押し込まれたときに上記弾性片２４，３４をその弾性に抗して撓み変形させた後にその弾性片２４，３４の復帰動作を通じて上記係止部２５ａ，３５ａに係止される被係止部５５を備える突起５４でなる。これによると、スライダ５が前進位置に押し込まれたときの係合体と被係合体との係合動作が確実に行われる割に、係合体や被係合体の構成が簡単になる。このような作用は、弾性片２４，３４が筐体１の上板部又は下板部に内向きに切起し形成されていて、その弾性片２４，３４に形成された開口２５，３５の口縁によって上記係止部２５ａ，３５ａが形成され、上記被係合体を形成している上記突起５４の後端面によって上記被係止部５５が形成されていると共に、その突起５４に、上記スライダ５がカード挿入方向前方へスライドしたときに上記弾性片２４，３４をその弾性に抗して撓み変形させる傾斜したガイド面５６が備わっているという構成によって良好に発揮される。
【００１２】
また、上記係合解除機構の上記作用部７４が、上記操作部材７の押込み操作を通じて上記弾性片２４，３４と摺動しつつその弾性片２４，３４をその弾性に抗して撓み変形させることにより上記開口２５，３５の口縁を上記突起５４の後端面から離脱させる先尖り形状に形成されている。これによると、作用部７４による係合体と被係合体との係合解除作用が簡単な構成で確実に発揮されるようになる。
【００１３】
上記操作部材７が、その操作部材７をカード挿入方向後方に向けて付勢する引張りコイルばね７２に連結されている。これによると、操作部材７を押込み操作した後、その操作部材７が手指を離すだけで元位置まで復帰する。
【００１４】
上記カードロック機構の上記ばね片が、上記筐体の側板部に内向きに切起し形成されたばね片２６でなり、上記支持部２３ａが上記側板部の内側の板面によって形成されていることによってカードロック機構の構成部品を少なくして価格を安く抑えることが可能になる。
【００１５】
【発明の実施の形態】
図１〜図４は本発明に係るカードコネクタの実施形態の動作を示した概略水平断面図である。図５は下カバー２の概略平面図、図６は下カバー２の要部拡大図、図７は図６のＶＩＩ−ＶＩＩ線断面図、図８は下カバー２の他の要部拡大図、図９は図８のＩＸ−ＩＸ線断面図、図１０は上カバー３の概略平面図、図１１は図１０のＸＩ−ＸＩ線断面図、図１２は可動体６が組み込まれたスライダ５の平面図、図１３は図１２のＸＩＩＩ−ＸＩＩＩ線断面図、図１４は操作部材７の平面図、図１５は図１４のＸＶ矢視による作用部７４の形状図、図１６〜図１８は作用部７４の動作説明図である。
【００１６】
この実施形態に係るカードコネクタの筐体１は、図５の下カバー２と図１０の上カバー３とを互いに嵌合させることによって偏平な箱形に形成されていて、上下の各板部と左右の各側板部とを有している。具体的には、筐体１の下側の板部が下カバー２の下板部２１によって形成され、上側の板部が上カバー３の上板部３１によって形成され、左右の各側板部が、互いに重なり合った下カバー２の左右の各側板部２２，２３と上カバー３の左右の各側板部３２，３３によって形成されている。そして、図１〜図４のように、筐体１の前端部分に必要極数の端子４１…を備えたボディ４が組み付けられている。
【００１７】
図５〜図７のように、下カバー２の下板部２１に後向きに延び出た弾性片２４が内向き（上向き）に切起し形成されており、この弾性片２４に矩形の開口２５が形成されている。同様に、図１０及び図１１のように、上カバー３の上板部３１に後向きに延び出た弾性片３４が内向き（下向き）に切起し形成されており、この弾性片３４に矩形の開口３５が形成されている。これらの弾性片２４，３４や開口２５，３５は同じ形状及び大きさを有していて、筐体１では、これらの弾性片２４，３４や開口２５，３５がその筐体１の左右方向片側において上下方向で対向している。
【００１８】
また、図５、図８、図９のように、下カバー２の片側の側板部２３に、後向きに延び出たばね片２６が内向き（横内向き）に切起し形成されている。これに対し、図１０のように、上カバー３の片側の側板部３３に外側へ膨らみ出た逃げ部３６が形成されている。そして、図１〜図４で判るように、筐体１では、ばね片２６が上記弾性片２４，３４の形成箇所の少し前側に位置し、かつ、逃げ部３６がばね片２６の外側に位置している。
【００１９】
図１〜図４のように、筐体１内の片側にスライダ５がカード挿入方向（矢印Ａ）の前後にスライド可能に収容されていると共に、このスライダ５が、上記ボディ４との間に介在されたコイルばねでなるばね４２によって後退方向に向けて常時弾発付勢されている。図１２のように、このスライダ５は前端側に近い箇所ほど筐体１の左右方向中央に近付く形状に湾曲した段付状の係合面５１を有している。また、スライダ５の後端部にその後方に延び出る細長い杆体５２が連結されている。この杆体５２は、筐体１に備わっている上記弾性片２４，３４の開口２５，３５に嵌合可能な厚さを有している。図１６〜図１８のように、この杆体５２の後端部に所定長さの幅狭部５３が具備され、その幅狭部５３の端部近傍箇所に上下一対の突起５４，５４が備わっている。そして、各突起５４の後端面がカード挿入方向Ａに対して直角をなす被係止部５５として形成されていると共に、各突起５４の前端面は前窄まりに傾斜したガイド面５６として形成されている。さらに、図１２及び図１３のように、スライダ５には左右方向に貫通する角孔状の孔部５７が備わり、この孔部５７に、山形先端面６１を備えた可動体６が左右方向出退自在に嵌合されている。しかも、上記孔部５７に具備された段付部５８と、可動体６に具備された段付部６２とが係止することによって、可動体６が上記孔部５７から筐体１の内方側へ抜け出さないようになっている。なお、可動体６の後端６４には上記したばね片２６の嵌合可能な凹溝６３が備わっている。
【００２０】
上記したスライダ５は、図１、図２及び図４に示されている待機位置と図３に示されている前進位置との間でカード挿入方向Ａの前後にスライド可能である。そして、図１、図２及び図４のようにスライダ５が待機位置に位置しているときには、図示のように筐体１のばね片２６が可動体６の凹溝６３（図１３参照）に嵌まり込んでその可動体６を筐体１の内方側へ弾発付勢している。このときには、スライダ５の孔部５７の段付部５８に可動体６の段付部６２が係止して可動体６が筐体１の内方側へ抜け出さないように位置決めされている（図１３参照）。このようにばね片２６によって可動体６が筐体１の内方側へ弾発付勢されている状態は、スライダ５が待機位置に位置しているときだけでなく、スライダ５が待機位置の前方へ移動したときでも、ばね片２６が可動体６に接触して弾圧している限り常に維持される。したがって、このばね片２６による可動体６の弾発付勢状態は、スライダ５が待機位置と前進位置の手前側の中間位置との間の箇所に位置しているときに常に維持されるようになる。また、図３のようにスライダ５が前進位置に位置しているときには、可動体６がスライダ５と共に上記ばね片２６よりも前側に移動していて、その可動体６の後端６４が、筐体１の側板部の板面、すなわち下カバー２の側板部２３の内面に対向し、その側板部２３の内面によって筐体１の外方へ可動体６が後退することが阻止されるようになっている。したがって、この実施形態では、上記側板部２３の内面が、スライダ５が前進位置に位置しているときに可動体６が後退することを阻止する支持部２３ａ（図３参照）として形成されている。
【００２１】
図１〜図４のように、筐体１の片側の側板部、すなわち下カバー２の側板部２３と上カバー３の側板部３３の後端部の内側と外側とに跨がって操作部材６が配備されていると共に、この操作部材７のばね受部７１と筐体１の後端のばね受部１３との間に引張りコイルばねでなるばね部材７２が介在されていて、このばね部材７２によって操作部材７がカード挿入方向Ａの後方に向けて常時弾発付勢されている。図１４のように、筐体１の内側に配備される操作部材７の端部７３に作用部７４が一体に形成されている。図１５に示したように、この作用部７４は楔形言い換えると先尖り形状に形成されている。図例では、図１４のように内外一対の作用部７４が操作部材７に備わっており、これら一対の作用部７４が、筐体１に設けられている対称形状の上下一対の弾性片２４，３４の幅方向両端に各別に対応している。
【００２２】
次に、カード１００は、図２〜図４に示したように、前端片側のコーナ部分が湾曲面１１０に形成されていると共に、片側辺部に凹入部１２０が形成されている。そして、図１のようにスライダ５が待機位置に位置しているときに、カード１００を筐体１の後端に形成されている挿入口１５から図２の矢印Ａのように挿入していくと、カード１００の湾曲面１１０が可動体６をばね片２６の弾性に抗してスライダ５の孔部５７に押し込みながらその可動体６を乗り越えて図２のようにスライダ５の係合面５１に係合する。すなわち、係合面５１にその後方からのみカード１００の湾曲面１１０が突き当たる。また、カード１００の湾曲面１１０がスライダ５の係合面５１に係合したときには、カード１００の凹入部１２０の中に、ばね片２６によって押圧された可動体６の山形先端面６１が図２のように嵌入する。この状態では、カード１００を後方へ強く引っ張ると、カード１００が可動体６をばね片２６の付勢に抗して押し込みながら後退してその凹入部１２０が可動体６の山形先端面６１から抜け出るので、カード１００を引き抜くことが可能である。この状態は、カード１００がスライダ５に対して引抜き可能に仮固定されているだけのロック状態、すなわちハーフロック状態である。このようなハーフロック状態は、図２の状態からカード１００をさらに挿入してスライダ５を上記した中間位置に押し込むまで持続する。
【００２３】
そして、カード１００の挿入によってスライダ５が中間位置を通り過ぎた後、スライダ５が前進位置に到達する。このときには、図３のように、カード１００がカードセット位置で端子４１に重なって端子４１とカード１００側の電極との電気的接続が行われる。また、可動体６は、同図のようにその後端６４が筐体１の側板部の板面によって形成されている支持部２３ａに対向して可動体６の後退が阻止されている。したがって、このときにはカード１００を後方へ強く引っ張ったとしても、カード１００の凹入部１２０が可動体６の山形先端面６１を乗り越えることができないので、カード１００がスライダ５に対してフルロックされる。
【００２４】
一方、スライダ５が上記した待機位置から前進位置まで押し込まれる過程では、スライダ５に連結されている杆体５２も前進するので、当初、図１６のように杆体５２の幅狭部５３を摺動自在に挾み付けていた上下の弾性片２４，３４を撓ませながら突起５４，５４がそれらの弾性片２４，３４の先端部を乗り越えて図１７のように弾性片２４，３４の開口２５，３５に嵌まり込み、しかも、図３などに示したばね４２の弾発力によって突起５４，５４の被係止部５５が開口２５，３５の後側の口縁に係合する。このため、スライダ５の後退が、突起５４，５４の被係止部５５と開口２５，３５の口縁との係合によって阻止され、しかも、カード１００が上記のようにスライダ５に対してフルロックされているので、カード１００を無理抜きすることができなくなる。なお、突起５４，５４が弾性片２４，３４の先端部を乗り越えるときには、突起５４の前窄まりに傾斜したガイド面５６がその乗り越え動作を円滑に行わせることに役立つ。
【００２５】
ここで、突起５４，５４の被係止部５５に係合する開口２５，３５の口縁は、突起５４，５４を係止する係止部２５ａ，３５ａを形成している。また、弾性片２４，３４が係合体を構成し、その係合体の相手方である被係合体が上記突起５４によって構成されている。
【００２６】
上記セット位置に挿入されているカード１００を排出するときには、図４の矢印Ｂのように操作部材７を前方へ押し込む。こうして操作部材７を押し込むと、それまでの常態時には弾性片２４，３４の後方でそれらに離間して対向していた作用部７４が、図１８のように上下の弾性片２４，３４と摺動しつつそれらの弾性片２４，３４の間に分け入り、それらの弾性片２４，３４を撓み変形させて押し拡げるので、突起５４，５４が弾性片２４，３４の開口２５，３５から抜け出る。このため、突起５４，５４の被係止部５５，５５と弾性片２４，３４の係止部２５ａ，３５ａとが離脱して両者の係合が解除され、スライダ５がばね４２の弾発力により図４のように待機位置まで後退してカード１００がスライダ５にハーフロックされた状態になる。したがって、このときには、カード１００を強く引っ張ってカード１００を排出することが可能である。また、操作部材７は、上記のように押し込んだ後、ばね部材７２の弾発力によって図１ないし図３に示されている元位置に復帰する。
【００２７】
この実施形態において、上記した可動体６と、可動体６を突出方向に弾発付勢するばね片２６によって形成されているばね体と、可動体６の後退を阻止する支持部２３ａとが、スライダ５に対してカード１００をハーフロックしたりフルロックしたりするためのカードロック機構の構成要素になっている。また、上記した操作部材７と作用部７４とばね部材７２とが係合解除機構の構成要素になっている。
【００２８】
この実施形態では、動作の安定性及び信頼性を高めるために係合体を形成している弾性片２４，３４や被係合体を形成している突起５４，５４を上下に各一対ずつ備えている。
【００２９】
【発明の効果】
本発明によれば、セット位置に挿入されたカードが前進位置に位置しているスライダにフルロックされ、しかも、前進位置に位置しているスライダが係合体と被係合体との係合によって後退不可能になるので、カードがセット位置から無理抜きされるという事態が起こり得ない。また、係合体と被係合体との係合を解除するための操作部材の作用部は、常態時に係合体と被係合体との係合箇所から離間した箇所に位置しているので、落下などの衝撃によっても係合体と被係合体との係合が解除されるという事態は起こりにくくなる。これらのことから、セット位置に挿入されているカードが無理抜きされたり衝撃によって不慮に排出されたりすることがなくなる。さらに、本発明によれば、部品点数をできるだけ増やさずに、カードの無理抜きが不可能になり、落下などの衝撃によってカードが不慮に排出されるような事態の起こらないように構成することのできるカードコネクタを提供することが可能になる。
【図面の簡単な説明】
【図１】  本発明に係るカードコネクタのカード未挿入状態での概略水平断面図である。
【図２】  同カードコネクタのカード挿入途中での概略水平断面図である。
【図３】  同カードコネクタでカードがカードセット位置に挿入されている状態の概略水平断面図である。
【図４】  同カードコネクタで操作部材をプッシュ操作した直後の状態の概略水平断面図である。
【図５】  下カバーの概略平面図である。
【図６】  下カバーの要部拡大図である。
【図７】  図６のＶＩＩ−ＶＩＩ線断面図である。
【図８】  下カバーの他の要部拡大図である。
【図９】  図８のＩＸ−ＩＸ線断面図である。
【図１０】  上カバーの概略平面図である。
【図１１】  図１０のＸＩ−ＸＩ線断面図である。
【図１２】  可動体が組み込まれたスライダの平面図である。
【図１３】  図１２のＸＩＩＩ−ＸＩＩＩ線断面図である。
【図１４】  操作部材の平面図である。
【図１５】  図１４のＸＶ矢視による作用部の形状図である。
【図１６】  図１及び図２での弾性片の状態や作用部の位置などを示した説明図である。
【図１７】  図３での弾性片の状態や作用部の位置などを示した説明図である。
【図１８】  作用部が弾性片の間に分け入った状態を示した説明図である。
【符号の説明】
１  筐体
５  スライダ
６  可動体
７  操作部材
１５  挿入口
２３ａ  支持部
２４，３４  弾性片（係合体）
２５，３５  開口
２５ａ，３５ａ  開口の後側の口縁（係止部）
２６  ばね片
４２  コイルばね
５２  杆体
５３  幅狭部
５４  突起（被係合体）
５５  突起の後端面（被係止部）
５６  ガイド面
５７  孔部
５８  段付部
６１  山形先端面
６２  段付部
６４  可動体の後端
７２  引張りコイルばね
７４  作用部
１００  カード
１２０  凹入部
【図１】
0003796399.tif 000002
【図２】
0003796399.tif 000003
【図３】
0003796399.tif 000004
【図４】
0003796399.tif 000005
【図５】
0003796399.tif 000006
【図６】
0003796399.tif 000007
【図７】
0003796399.tif 000008
【図８】
0003796399.tif 000009
【図９】
0003796399.tif 000010
【図１０】
0003796399.tif 000011
【図１１】
0003796399.tif 000012
【図１２】
0003796399.tif 000013
【図１３】
0003796399.tif 000014
【図１４】
0003796399.tif 000015
【図１５】
0003796399.tif 000016
【図１６】
0003796399.tif 000017
【図１７】
0003796399.tif 000018
【図１８】
0003796399.tif 000019